(57)【要約】【課題】本発明は、電気コネクタに関し、従来例におけるコンタクト接続部のシールド効果を強化する必要があることと、更にロック機構においても小型化とコストの低減を図ることが課題であってそれを解消することを目的とする。【解決手段】信号線に接続されるコンタクトと、該コンタクトを収納する収納部を有する絶縁性のハウジングと、該ハウジングをその接続部を除いて囲繞して電気的にシールドする金属製シェルとで構成される電気コネクタであって、前記金属製シェルの一部は、前記ハウジングの接続部を形成する周壁の全周を間隙を置いて囲繞するシールド壁面が設けられると共に、前記周壁の４面にロック部が設けられている電気コネクタ１とする。【選択図】図１
2009272157.tif 000002
【特許請求の範囲】
【請求項１】
信号線に接続されるコンタクトと、該コンタクトを収納する収納部を有する絶縁性のハウジングと、該ハウジングをその接続部を除いて囲繞して電気的にシールドする金属製シェルとで構成される電気コネクタであって、
前記金属製シェルの一部は、前記ハウジングの接続部を形成する周壁の全周を間隙を置いて囲繞するシールド壁面が設けられると共に、前記シールド壁面の４面にロック部が設けられていること、
を特徴とする電気コネクタ。
【請求項２】
ロック部は、嵌合相手方のシェルの表面に内側に凹むように設けられた凹部に係合する、シールド壁面から内側に突出する突起部であること、
を特徴とする請求項１に記載の電気コネクタ。
【発明の詳細な説明】
【技術分野】
【０００１】
本発明は、コンタクトの接合部を電気的にシールドするシェルを有する電気コネクタに関するものである。
【背景技術】
【０００２】
従来、電気コネクタ２０において図６（Ａ），（Ｂ）に示すように、電気的シールド構造は、絶縁性ハウジングの接続部の片面に設けられていたり、図７（Ａ），（Ｂ）に示すように、電気コネクタ２３の絶縁性ハウジングの両面に設けられていたりする。また、嵌合時におけるこれらのロック機構は、シールド用のシェルとは別体にして構成されている。このような電気コネクタとして、特許文献１に記載のものが知られている。
【特許文献１】特開２０００−２１５９４８号公報
【発明の開示】
【発明が解決しようとする課題】
【０００３】
しかし、従来の電気コネクタでは、コンタクト同士の接合部におけるシールド部分が少ない。例えば、片面若しくは２箇所と少ないので、さらなるシールド効果を得るには、シールド片を増やす必要がある。また、ロック箇所も別体にしているので、部品点数が増えて、組立にも工数が掛かってコストが嵩むことになる。本発明に係る電気コネクタは、このような課題を解決するために提案されたものである。
【課題を解決するための手段】
【０００４】
本発明に係る電気コネクタの上記課題を解決して目的を達成するための要旨は、信号線に接続されるコンタクトと、該コンタクトを収納する収納部を有する絶縁性のハウジングと、該ハウジングをその接続部を除いて囲繞して電気的にシールドする金属製シェルとで構成される電気コネクタであって、前記金属製シェルの一部は、前記ハウジングの接続部を形成する周壁の全周を間隙を置いて囲繞するシールド壁面が設けられると共に、前記シールド壁面の４面にロック部が設けられていることである。
【０００５】
前記ロック部は、嵌合相手方のシェルの表面に内側に凹むように設けられた凹部に係合する、シールド壁面から内側に突出する突起部であることを含むものである。
【発明の効果】
【０００６】
本発明の電気コネクタによれば、嵌合相手方との接続部において、この電気コネクタの接続部を形成する絶縁性ハウジングの周壁全周を金属製シェルで囲繞するので、コンタクト接合部は、嵌合相手方のシェルと合わせて２重にシールドすることになり、シールド性能が向上する。また、前記接続部を囲繞しているシェルの部分にロック部を一体に形成するので、部品点数を増加させずに、小型化が可能となり、コスト低減となる。
【発明を実施するための最良の形態】
【０００７】
本発明に係る電気コネクタ１は、図１（Ａ）〜（Ｃ）に示すように、網線を有する信号線２に接続されるコンタクト３（図１（Ｂ）参照）と、該コンタクト３を収納する収納部を有する絶縁性のハウジング４と、該ハウジング４をその接続部４ａを除いて囲繞して電気的にシールドする金属製シェル５とで構成される電気コネクタである。
【０００８】
前記電気コネクタ１は、図３に示すプリント基板６上に実装されたレセプタクル７に接続される、前記信号線２の長手方向と垂直にして嵌合される低背の電気コネクタである。
【０００９】
前記金属製シェル５の一部は、図１（Ｂ）に示すように、前記ハウジング４の矩形状の接続部４ａを形成する周壁の全周を、間隙を置いて囲繞するシールド壁面５ａ〜５ｄが設けられると共に、前記シールド壁面の４面にロック部５ｅ，５ｆが設けられている。
【００１０】
前記シェル５を、図２を参照して説明すると、同図２（Ａ）は、ハウジング４およびケーブル２を取り付けて加工する前の状態であり、同図２（Ｂ）は、シェルにハウジング４およびコネクタ３を介してケーブル２をハウジングに取付けた状態で、前記ハウジング４に対してかしめ部５ｇと、ケーブル２に対するかしめ部５ｈとを、それぞれ、かしめるために直角に曲げた状態を示す状態である。シールド壁面５ａ〜５ｄの部分にハウジング４の接続部４ａが嵌合される。
【００１１】
前記ロック部５ｅ，５ｆは、図３（Ａ），（Ｂ）に示すように、嵌合相手方であるレセプタクルコネクタ７のシェル８の表面に内側に凹むように設けられた凹部８ａに、図４に示すように係合する、シールド壁面５ａ〜５ｄから内側に突出する突起部である。前記凹部８ａは、シールド効果が減衰しないようにしたものである。
【００１２】
前記ロック部５ｅ，５ｆは、図４および図５に示すように、プリント基板６に表面実装されたレセプタクルコネクタ７に、電気コネクタ１を嵌合させると、シェル５のシールド壁面５ａ〜５ｄが、矩形状のレセプタクル７のシェル８全周を囲繞して電気的にシールドすると共に、ロック部５ｅ，５ｆがその突起部を凹部８ａに係止させ、且つ、図５に示すように、ロック部５ｆが前記嵌合相手方のシェル８の周壁８ｂ，８ｃに強く摺接してロック補助となるものである。
【００１３】
このようにして、本発明に係る電気コネクタ１は、コンタクト同士の接合部において、金属製シェルによって矩形状の周壁の全周を囲繞するようにしてシールド効果を高めたものである。そして、その周壁においてロック機構を設けたので、部品点数を増加させることなく、コストも低減させることができたものである。
【図面の簡単な説明】
【００１４】
【図１】本発明に係る電気コネクタ１の側面図（Ａ）、底面図（Ｂ）、正面図（Ｃ）である。
【図２】同本発明の電気コネクタ１におけるシェル５の斜視図（Ａ）、組立時におけるハウジングなどを取り付けて直角に曲げた状態の側面図である。
【図３】同電気コネクタ１と嵌合する相手方のレセプタクルコネクタ７の使用状態図（Ａ），縦断面図（Ｂ）である。
【図４】同電気コネクタ１の使用状態を示す一部を断面にした説明図である。
【図５】同電気コネクタ１の使用状態を示す一部を断面にした説明図である。
【図６】従来例に係る電気コネクタの嵌合例を示す説明図及び断面図（Ａ），（Ｂ）である。
【図７】従来例に係る電気コネクタの嵌合例を示す説明図及び断面図（Ａ），（Ｂ）である。
【符号の説明】
【００１５】
１          電気コネクタ、
２          信号線、
３          コンタクト、
４          ハウジング、                  ４ａ          接続部、
５          シェル、                      ５ａ〜５ｄ    シールド壁面、
５ｅ，５ｆ    ロック部、                    ５ｇ，５ｈ    かしめ部、  
６            プリント基板、
７            レセプタクルコネクタ、
８            シェル、                      ８ａ          凹部、
８ｂ，８ｃ    周壁、
２０〜２３    電気コネクタ。
【図１】
2009272157.tif 000003
【図２】
2009272157.tif 000004
【図３】
2009272157.tif 000005
【図４】
2009272157.tif 000006
【図５】
2009272157.tif 000007
【図６】
2009272157.tif 000008
【図７】
2009272157.tif 000009